(57)【要約】【課題】ハンドル取付け用座板を構成するエスカチオンの外表面に化粧板の端部に設けた係合部又は被係合部を損傷しないようにして該化粧板を簡単に取付け、又は該化粧板をエスカチオンから簡単に取り外すことができること。【解決手段】ベース部の外表面に形成された凹所内の一方側に第１被係合部を有すると共に、他方側に第２被係合部を有する長い台座状のエスカチオンと、凹所に前記第１被係合部及び第２被係合部にそれぞれ係脱する第１係合部及び第２係合部をそれぞれ介して結合し、かつ、弾性変位機能・弾性復帰機能を有する長板状の化粧板とから成るハンドルの取付け用座板であって、エスカチオンの中央部に支点用治具の先端部を貫通状態に差し込むことができる化粧板結合用貫通孔を形成したことハンドル取付け用座板。【選択図】図１
2011038293.tif 000002
【特許請求の範囲】
【請求項１】
ハンドル取付け用のエスカチオンの外表面に形成された凹所内の一方側の第１被係合部に化粧板の一方端の第１係合部を係合させる一方端係合工程と、前記エスカチオンの中央部に形成された貫通孔に支点用治具の先端部を該エスカチオンの裏側から貫通状態に差し込んで前記化粧板の背面に接触させる支点用治具挿入工程と、前記支点用治具の先端を支点にして前記化粧板を湾曲状に弾性変位させ、その状態を保持しながら該化粧板の他方端の第２係合部を前記凹所内の他方側の第２被係合部に係合させる他方端係合工程と、前記支点用治具を前記貫通孔から引き抜いて前記化粧板を弾性復帰させて該化粧板を前記エスカチオンに一体化させる結合工程を含むハンドル取付け用座板の結合方法。
【請求項２】
請求項１に於いて、エスカチオンの中央部の貫通孔は、シリンダー取付け用透孔又は支点用治具専用透孔のいずれかであることを特徴とするハンドル取付け用座板の結合方法。
【請求項３】
ベース部の外表面に形成された凹所内の一方側に第１被係合部を有すると共に、他方側に第２被係合部を有する長い台座状エスカチオンと、前記凹所に前記第１被係合部及び第２被係合部にそれぞれ係脱する第１係合部及び第２係合部をそれぞれ介して結合し、かつ、弾性変位機能・弾性復帰機能を有する長板状化粧板とから成るハンドルの取付け用座板であって、前記エスカチオンの中央部に支点用治具の先端部を貫通状態に差し込むことができる化粧板結合用貫通孔を形成したことを特徴とするハンドル取付け用座板。
【発明の詳細な説明】
【技術分野】
【０００１】
本発明は、扉の壁面に固定的に取付けられるハンドル取付け用座板に関する。
【背景技術】
【０００２】
特許文献１には、「機器筐体の外表面に着替えパネルを取外し自在に装着して成る電子機器であって、矩形状を呈する着替えパネルの一方端部と前記機器筐体との間に爪部と凹部とから成る第１係合手段を設け、前記着替えパネルの他方端部と前記機器筐体に装着される固定部材との間に爪部と凹部とから成る第２係合手段を設け、前記第１係合手段及び第２係合手段を介して着替えパネルを機器筐体の外表面に係合する電子機器」が開示されている。
【０００３】
しかしながら、この特許文献１に記載の電子機器は、例えば携帯電話の外表面の化粧パネルに関する結合構造であって、扉の壁面に固定的に取付けられるハンドル取付け用座板に関するものではない。
【０００４】
また、特許文献２には、「前面が開口したキャビネットと、このキャビネットの前面開口部を閉塞する内面スピーカが取付けられたバッフル板と、このバッフル板の前面に設けられるフロントグリルとを備えるスピーカ装置に於いて、前記バッフル板の前面に、前記フロントグリルの湾曲による復帰力を利用して、フロントグリルとバッフル板にそれぞれ設けたオス・メス係合部を係合させ、該フロントグリルを取付ける事項（フロントグリル取り付け構造）」が記載されている。
【０００５】
しかしながら、この特許文献１に記載のフロントグリル取り付け構造はスピーカ装置に関するものであって、扉の壁面に固定的に取付けられるハンドル取付け用座板に関するものではない。
【０００６】
ところで、現在、扉の壁面に固定的に取付けられるハンドル取付け用座板に於いて、該ハンドル取付け用座板を構成するエスカチオンの外表面に化粧板の端部に設けた係合部又は被係合部を損傷しないようにして該化粧板を簡単に取付け、又は該化粧板をエスカチオンから簡単に取り外すことができるエスカチオンと化粧板との組み合わせ方法並びにそのようなハンドル取付け用座板の出現が望まれている。
【先行技術文献】
【特許文献】
【０００７】
【特許文献１】特開２００８−２４５１３３号公報の図５乃至図７
【特許文献２】実開昭４９−１２８２３５号公報
【発明の概要】
【発明が解決しようとする課題】
【０００８】
発明が解決しようとする課題は、扉の壁面に固定的に取付けられるハンドル取付け用座板に於いて、該ハンドル取付け用座板を構成するエスカチオンの外表面に化粧板の端部に設けた係合部又は被係合部を損傷しないようにして該化粧板を簡単に取付け、又は該化粧板をエスカチオンから簡単に取り外すことができるエスカチオンと化粧板との組み合わせ方法並びにそのようなハンドル取付け用座板を提供することである。
【課題を解決するための手段】
【０００９】
本発明のハンドル取付け用座板の結合方法は、ハンドル取付け用のエスカチオンの外表面に形成された凹所内の一方側の第１被係合部に化粧板の一方端の第１係合部を係合させる一方端係合工程と、前記エスカチオンの中央部に形成された貫通孔に支点用治具の先端部を該エスカチオンの裏側から貫通状態に差し込んで前記化粧板の背面に接触させる支点用治具挿入工程と、前記支点用治具の先端を支点にして前記化粧板を湾曲状に弾性変位させ、その状態を保持しながら該化粧板の他方端の第２係合部を前記凹所内の他方側の第２被係合部に係合させる他方端係合工程と、前記支点用治具を前記貫通孔から引き抜いて前記化粧板を弾性復帰させて該化粧板を前記エスカチオンに一体化させる結合工程とを含むことを特徴とする。
【００１０】
また、本発明のハンドル取付け用座板は、ベース部の外表面に形成された凹所内の一方側に第１被係合部を有すると共に、他方側に第２被係合部を有する長い台座状エスカチオンと、前記凹所に前記第１被係合部及び第２被係合部にそれぞれ係脱する第１係合部及び第２係合部をそれぞれ介して結合し、かつ、弾性変位機能・弾性復帰機能を有する長板状化粧板とから成るハンドルの取付け用座板であって、前記エスカチオンの中央部に支点用治具の先端部を貫通状態に差し込むことができる化粧板結合用貫通孔を形成したことを特徴とする。
【発明の効果】
【００１１】
（ａ）結合の際、支点用治具を利用し、或いはエスカチオンの中央部に化粧板結合用貫通孔を設けたので、ハンドル取付け用座板を構成するエスカチオンの外表面に化粧板の両端部に設けた係合部又は被係合部を損傷しないようにして該化粧板を簡単に取付け、又は該化粧板をエスカチオンから簡単に取り外すことができる。
（ｂ）結合手段として、ネジ、接着剤或いは接着シート、固定用テープ、固定具等固定手段が不要である。
（ｃ）建具としてのハンドル取付け用座板に於いて、使用者の嗜好や時代の流行に合う化粧板をエスカチオンの外表面に装着することができる。
【図面の簡単な説明】
【００１２】
図１乃至図６は、本発明の方法の発明と物の発明を示す各説明図である。図７及び図８は、第２実施例を示す各説明図である。
【図１】方法の発明の一例を示す工程図。
【図２】（ａ）はエスカチオンの正面図、（ｂ）は化粧板の正面図。
【図３】エスカチオンの第１被係合部に化粧板の第１係合部を差し込もうとする所を示す説明（概念）図。
【図４】エスカチオン（下端部を省略）を基準として、支点用治具（一部を省略）、化粧板（下端部を省略）をそれぞれ示す概略説明図。
【図５】支点用治具２１の一例を示す斜視図。
【図６】（ａ）、（ｂ）、（ｃ）は方法の発明と物の発明を示す説明図。
【図７】図４と同様の概略説明図。
【図８】図６と同様の説明図。
【発明を実施するための最良の形態】
【００１３】
（１）方法の発明
図１は、ハンドル取付け用座板の結合方法を示す工程図である。図２の（ａ）は長い台座状のエスカチオンの正面図、図２の（ｂ）はエスカチオン１のベース部の外表面に形成された凹所２に装着される長板状化粧板１１の正面図である。本実施例のハンドル取付け用座板Ｘは、前記長い台座状のエスカチオン１と前記長板状化粧板１１とから構成されている。
【００１４】
まず、図１を中心にして、ハンドル取付け用座板Ｘの結合方法を説明する。Ａはハンドル取付け用のエスカチオン１の外表面に形成された装着用の凹所２内の一方側の複数の第１被係合部３、３に化粧板１１の一方端の複数の第１係合部１２、１２をそれぞれ同時に係合させる一方端係合工程である。
【００１５】
図３は、エスカチオン１の第１被係合部３に化粧板１１の第１係合部１２を差し込もうとする所を示す概念図である。装着用の凹所２は、長板状化粧板１１の大きさと厚さを考慮して任意に設計されている。凹所２内の一方側（図面上、上側）および他方側（図面上、下側）は弧状であっても良いが、普通一般に長板状化粧板１１は矩形状なので、例えば該凹所２は長板状化粧板１１の平面形状に対応した矩形状（縦長の長方形）に形成されている。エスカチオン１の前記一方側の第１被係合部３、３は、左右に離間した一対の凹所或いは切欠である。この第１被係合部３、３の大きさや数は、後述する長板状化粧板１１の第１被係合部の大きさや数に対応して形成されている。
【００１６】
次に、Ｂは前記エスカチオン１の中央部に形成された左右一対の貫通孔４、４に支点用治具２１の先端部２１ｂ、２１ｂを該エスカチオン１の裏側１ａから貫通状態に差し込んで前記化粧板１１の背面１１ａに接触させる支点用治具挿入工程である。
【００１７】
図４は、エスカチオン１（下端部を省略）を基準として、向こう側に支点用治具２１（一部を省略）、手前に長板状化粧板１１（下端部を省略）をそれぞれ斜視図で示す。この支点用治具挿入工程Ｂに於いては、前記左右一対の貫通孔４、４に代えて、シリンダー取付け用の透孔５に支点用治具２１の先端部２１ｂ、２１ｂを差し込んでも良い（例えば図７及び図８で示すような第２実施例の場合）。付言すると、エスカチオン１の中央部の貫通孔は、シリンダー取付け用の透孔５又は支点用治具専用の透孔４のいずれかであれば良い。
【００１８】
また、本実施例では、左右の通孔４、４は、エスカチオン１の中央部に左右一対形成された小孔であるが、該小孔の大きさ、形状、数等は特に限定するものではない。支点用治具挿入用の貫通孔は、エスカチオン１の外表面に弾性力（材質自体にバネ力を有する）長板状化粧板１１を取付ける、又は取り外すための構成であるから、支点用治具２１が使用可能の範囲内に於いて、その形状、大きさ、数等は任意に設定することができる。
【００１９】
図５に支点用治具２１の一例を示す。支点用治具２１は、例えば所定形状の長板状ベース板２１ａと、該長板状ベース板２１ａの中央部に水平方向に突出形成された単数又は複数（本実施例）の挿入棒部分２１ｂとから構成され、前記挿入棒部分２１ｂの長さ、太さ、材質、先端部の分割態様等は、支点用治具２１の押圧機能、支点機能、を考慮して適宜に設計されている。望ましくは、挿入棒部分２１ｂの先端は、その剛性的機能、弾性変位、弾性復帰を含む押圧機能及び支点機能を十分に発揮することができるように弧状、球状等の曲面状に形成すべきである。なお、支点用治具２１の形態については、任意に設計変更可能である。
【００２０】
次に、Ｃは支点用治具２１の挿入棒部分２１ｂの先端を支点にして前記化粧板１１を湾曲状に弾性変位させ、その状態を保持しながら該化粧板１１の他方端の第２係合部１３，１３を前記凹所２内の他方側の第２被係合部６，６に係合させる他方端係合工程である。本実施例では、化粧板１１の他方端の第２係合部１３はその一方端の第１係合部１２と同様に左右に離間した一対の係合爪である。また、エスカチオン１の他方側の第２被係合部６，６は、その一方側の第１被係合部３、３と同様に左右に離間した一対の凹所或いは切欠である。
【００２１】
さらに、Ｄは前記支点用治具２１を前記貫通孔（４、４、５）から引き抜いて前記化粧板１１を弾性復帰させて該化粧板１１を前記エスカチオン１に一体化させる結合工程である。
【００２２】
ところで、図１の方法の発明では、まず一方端係合工程Ａ、次に支点用治具挿入工程Ｂ、次に他方端係合工程Ｃ、最後に結合工程Ｄの順序であるが、該順序は発明の本質的事項でない。すなちわ、図６（ａ）、（ｂ）、（ｃ）で示すように、まず支点用治具挿入工程Ｂを先行させ（図６のａ）、次に一方端係合工程Ａを実行し、次に他方端係合工程Ｃを実行して結合工程Ｄに至っても良い。
【００２３】
このように、本願発明の方法の発明は、化粧板１１の剛性的機能、弾性変位機能・弾性復帰機能を利用し、かつ、エスカチオン１の中央部（中央部寄りの部位も含む）に形成したシリンダー取付け用の透孔５又は支点用治具挿入用の透孔４（これらを「貫通孔」という。）に支点用治具２１を差込み、該エスカチオン１を湾曲状に撓まして、例えばエスカチオン１側の上下端部の切欠状の被係合部３、６に長板状の化粧板１１の上下端の爪状係合部１２，１３をそれぞれ挿入係合し、前記支点用治具２１を前記貫通孔（４、５）から引き抜くことによって、化粧板１１を元の状態（垂直状態）に弾性復帰させ、長い台座状のエスカチオン１に長板状の化粧板１１を一体的に係合する点に特徴がある。
なお、図６の（ａ）、（ｂ）、（ｃ）を、逆の順序で実行する場合には、長い台座状のエスカチオン１から長板状の化粧板１１を取り外す方法となる。
【００２４】
（２）物の発明
したがって、本発明の物の発明は、ベース部の外表面に形成された凹所２内の一方側に第１被係合部３を有すると共に、他方側に第２被係合部６を有する長い台座状のエスカチオン１と、前記凹所２に前記第１被係合部３及び第２被係合部６にそれぞれ係脱する第１係合部１２及び第２係合部１３をそれぞれ介して結合し、かつ、弾性変位機能・弾性復帰機能を有する長板状の化粧板１１とから成るハンドルの取付け用座板Ｘであって、前記エスカチオン１の中央部に支点用治具２１の先端部２１ｂを貫通状態に差し込むことができる化粧板結合用兼化粧板取り外し用貫通孔（４、５）を形成したことを特徴とする。
【００２５】
ところで、ハンドルの取付け用座板Ｘの細部的事項の説明は割愛するが、符号７はエスカチオン１の一端部（例えば下端部）寄りの部位に形成されたハンドル用の取付け孔、符号８は外表面の凹所２を形成する突壁状の表面周壁である。また、エスカチオン１のシリンダー取付け用透孔５、ハンドル用取付け孔７等に対応して化粧板１１にもシリンダー取付け用透孔１４、ハンドル用取付け孔１５等が形成されている。
【実施例】
【００２６】
エスカチオン１の両端部側の第１・第２の被係合部（３、３、６，６）は、左右に離間した一対の凹所或いは切欠であるが、もちろん、凹所或いは切欠に代えて係合突起にしても良い。エスカチオン１側の第１係合手段（３、３、６，６）を単数又は複数の係合突起（オス係合部）にした場合には、化粧板１１側の第１・第２の係合部（１２、１２、１３，１３）は、前記係合突起に対応係合するメス係合部となる。また、化粧パネルとしての化粧板１１は、透明、半透明、非透明の如何を問わない。
【００２７】
ところで、第１実施例に於いて、支点用治具挿入工程Ｂに於いては、左右一対の貫通孔４、４に代えて、シリンダー取付け用の透孔５に支点用治具２１の先端部２１ｂ、２１ｂを差し込んでも良い旨をしたが、ここで、念のために、その一例を図７及び図８に示す。
【００２８】
この第２実施例では、（ａ）エスカチオン１Ａにシリンダー取付け用の透孔５とは別個に支点用治具２１Ａの挿入棒部分（先端部）２１ｂを通すための貫通孔が形成されていない点、（ｂ）前記支点用治具２１Ａの挿入棒部分（先端部）２１ｂは、図８で示すようにやや斜めである点が第１実施例と相違する。
【００２９】
このようにエスカチオン１Ａに治具専用の貫通孔４が形成されていない場合には、図８（ａ）乃至図８（ｃ）で示すように、支点用治具２１Ａの傾斜状挿入棒部分２１ｂをエスカチオン１Ａのシリンダー取付け用の透孔５を差込みながら、その先端を化粧板１１のシリンダー取付け用透孔の縁部に当接乃至押圧させて支点機能を発揮させる。それ故に、エスカチオン（１、１Ａ）の中央部の貫通孔（４、５）は、シリンダー取付け用の透孔５又は支点用治具専用の透孔４のいずれかでも良い。なお、第２実施例の支点用治具２１Ａの挿入棒部分２１ｂの材質、形状、本数、分割態様等は任意に設計変更することができる。
【産業上の利用可能性】
【００３０】
本発明は、主に錠前または建具の業界で利用される。
【符号の説明】
【００３１】
Ｘ…ハンドル取付け用座板、Ａ…一方端係合工程、Ｂ…支点用治具挿入工程、Ｃ…他方端係合工程、Ｄ…結合工程、１、１Ａ…エスカチオン、２…凹所、３…第１被係合部、４…貫通孔、５…貫通孔（シリンダー取付け用透孔）、６…第２被係合部、７…ハンドル用取付け孔、８…突壁状表面周壁、１１…化粧板、１２…第１係合部、１３…第２係合部、１４…シリンダー取付け用透孔、１５…ハンドル用取付け孔、２１、２１Ａ…支点用治具、２１ｂ…挿入棒部分（先端部）。
【図１】
2011038293.tif 000003
【図２】
2011038293.tif 000004
【図３】
2011038293.tif 000005
【図４】
2011038293.tif 000006
【図５】
2011038293.tif 000007
【図６】
2011038293.tif 000008
【図７】
2011038293.tif 000009
【図８】
2011038293.tif 000010